Podtech/llm-jp-corpus-v4-ja_patent huggingface dataset:
【手続補正書】
【提出日】令和2年10月13日(2020.10.13)
【手続補正１】
【補正対象書類名】特許請求の範囲
【補正対象項目名】全文
【補正方法】変更
【補正の内容】
【特許請求の範囲】
【請求項１】
配列番号1〜409、435〜868もしくは1726〜1988からなる群から選択される配列を有するポリペプチドをコードする核酸、または配列番号869、870もしくは871のいずれか１つの配列と同一であるペプチドはコードしないそのフラグメントを含む、組み換え発現ベクターであって、任意に、配列が、配列番号865、828〜836および659〜672からなる群より選択される、前記組み換え発現ベクター。
【請求項２】
配列番号1〜409、435〜868および1726〜1988からなる群から選択されるアミノ酸配列、またはそのフラグメントを含む、単離されたＡＡＶカプシドタンパク質であって、任意に、配列が、配列番号865、828〜836および659〜672からなる群より選択される、前記単離されたＡＡＶカプシドタンパク質。
【請求項３】
配列番号865、629〜836および853〜868から選択される配列を含む、請求項２に記載の単離されたＡＡＶカプシドタンパク質であって、ここでその配列のアミノ酸であって、配列番号871として表される配列の対応するアミノ酸とは同一ではない前記アミノ酸が、保存的置換で置き換えられている、前記単離されたＡＡＶカプシドタンパク質。
【請求項４】
配列番号1〜409、837〜852または1726〜1814から選択される配列を含む、請求項２に記載の単離されたＡＡＶカプシドタンパク質であって、ここでその配列のアミノ酸であって、配列番号869として表される配列の対応するアミノ酸とは同一ではない前記アミノ酸が、保存的置換で置き換えられている、前記単離されたＡＡＶカプシドタンパク質。
【請求項５】
配列番号435〜628または1815〜1988から選択される配列を含む、請求項２に記載の単離されたＡＡＶカプシドタンパク質であって、ここでその配列のアミノ酸であって、配列番号869または870として表される配列の対応するアミノ酸とは同一ではない前記アミノ酸が、保存的置換で置き換えられている、前記単離されたＡＡＶカプシドタンパク質。
【請求項６】
請求項２〜５のいずれか一項に記載の単離されたＡＡＶカプシドタンパク質をコードする核酸配列を含む、組み換え発現ベクター。
【請求項７】
請求項２〜５のいずれか一項に記載の単離されたＡＡＶカプシドタンパク質を含む、組み換えＡＡＶ（ｒＡＡＶ）。
【請求項８】
プロモーターへ作動可能に連結された、配列番号1〜409、435〜868および1726〜1988からなる群から選択されるポリペプチドのコード配列を含む核酸を含有する、宿主細胞であって、任意に、コード配列が、配列番号865、828〜836および659〜672からなる群より選択される、前記宿主細胞。
【請求項９】
ｒＡＡＶを対象へ投与することを含む処置方法における使用のための請求項７に記載のｒＡＡＶであって、ここでｒＡＡＶが、少なくとも１つの導入遺伝子を含み、およびここでｒＡＡＶが、対象の標的組織の細胞に感染し、および、導入遺伝子を送達し、任意に、標的組織が、肝臓、中枢神経系（ＣＮＳ）、眼、胃腸、呼吸、乳房、膵臓、尿路、筋肉、腎臓、骨、軟骨または子宮の組織であり、さらに任意に、対象が、ヒト、マウス、ラット、ウサギ、イヌ、ネコ、ヒツジ、ブタ、霊長目の非ヒト動物から選択される、前記ｒＡＡＶ。
【請求項１０】
請求項７に記載の組み換えｒＡＡＶを非ヒト動物へ投与することを含む、体細胞遺伝子導入動物モデルを生成するための方法であって、ここでｒＡＡＶが、少なくとも１つの導入遺伝子を含み、およびここでｒＡＡＶが、非ヒト動物の標的組織の細胞に感染し、任意に、導入遺伝子が、ｍｉＲＮＡに対して少なくとも１つの結合部位を含む転写産物を発現し、標的組織以外の組織において、結合部位へハイブリダイズすることによって導入遺伝子の活性を阻害する、前記方法。
【請求項１１】
少なくとも１つの導入遺伝子が、タンパク質コード遺伝子であるか、または、低分子干渉核酸をコードし、任意に、低分子干渉核酸が、ｍｉＲＮＡ、あるいは、対象または動物において少なくとも１つのｍｉＲＮＡの活性を阻害するｍｉＲＮＡスポンジまたはＴｕＤ ＲＮＡである、請求項９に記載の使用のためのｒＡＡＶ。
【請求項１２】
ｒＡＡＶが、静脈内に、経皮的に、眼内に、髄腔内に、経口で、筋肉内に、皮下に、鼻腔内に、または吸入によって、投与される、請求項９に記載の使用のためのｒＡＡＶ。
【請求項１３】
請求項２〜５のいずれか一項に記載の単離されたＡＡＶカプシドタンパク質を有する組み換えＡＡＶを収容する容器
を含む、キットであって、
任意に、容器が、シリンジである、前記キット。
【請求項１４】
核酸が、Ｖ１カプシドタンパク質、Ｖ２カプシドタンパク質またはＶ３カプシドタンパク質をコードする、請求項１に記載の組み換え発現ベクター。
【請求項１５】
配列番号410〜434、876〜1718および1989〜2251からなる群から選択される配列を含む、核酸であって、
任意に、核酸が、ＡＡＶカプシドタンパク質もしくはそのバリアント、および／またはＡＡＶ集合活性化タンパク質（ＡＡＰ）もしくはそのバリアントを発現するよう操作された、前記核酸。
【手続補正書】
【提出日】令和2年10月1日(2020.10.1)
【手続補正１】
【補正対象書類名】特許請求の範囲
【補正対象項目名】全文
【補正方法】変更
【補正の内容】
【特許請求の範囲】
【請求項１】
改変レプリコンＲＮＡを含む核酸分子であって、前記改変レプリコンＲＮＡが、改変された５’−非翻訳領域（５’−ＵＴＲ）及び生物学的に非活性なアルファウイルスの非構造タンパク質をコードする配列を含み、かつウイルス構造タンパク質をコードする核酸配列の少なくとも一部を欠いているものであり、前記改変された５’−ＵＴＲが２位のヌクレオチド置換を含む、前記核酸分子。
【請求項２】
前記改変アルファウイルスレプリコンＲＮＡが、さらに、サブゲノムＲＮＡのプロモーター、複製のためにシスに必要とされる３’ウイルス配列、及びポリアデニル酸経路を含む、請求項１に記載の核酸分子。
【請求項３】
前記改変された５’−ＵＴＲの２位における前記ヌクレオチド置換が、Ｕ−＞Ｇ置換である、請求項１又は２に記載の核酸分子。
【請求項４】
前記改変アルファウイルスレプリコンＲＮＡが、ウイルス構造タンパク質をコードする核酸配列の実質的な部分を欠いている、あるいは、前記改変アルファウイルスのレプリコンＲＮＡが、ウイルス構造タンパク質をコードする核酸配列を含まないものであり、
前記改変された５’−ＵＴＲが、配列番号２〜１８のうちの少なくとも１つの核酸配列と少なくとも９０％、少なくとも９５％、少なくとも９６％、少なくとも９７％、少なくとも９８％、少なくとも９９％、又は１００％の配列同一性を示す、
請求項１〜３のいずれか一項に記載の核酸分子。
【請求項５】
１つ以上の発現カセットを更に含み、前記発現カセットのそれぞれが、異種核酸配列に操作可能に連結されたプロモーターを含む、請求項１〜４のいずれか一項に記載の核酸分子。
【請求項６】
前記アルファウイルスが、トガウィルス科のアルファウイルス属に属するものである、請求項１〜５のいずれか一項に記載の核酸分子。
【請求項７】
前記アルファウイルスが、ＶＥＥＶ／ＥＥＥＶ群、又はＳＦ群、又はＳＩＮ群に属するものである、請求項６に記載の核酸分子。
【請求項８】
前記アルファウイルスが、ベネズエラウマ脳炎ウイルス（ＶＥＥＶ）である、請求項７に記載の核酸分子。
【請求項９】
前記改変アルファウイルスゲノム又はレプリコンＲＮＡが、異種調節エレメントに操作可能に連結されている、請求項１〜８のいずれか一項に記載の核酸分子。
【請求項１０】
改変アルファウイルスゲノム又はレプリコンＲＮＡを含む核酸分子であって、前記核酸分子が、配列番号１又は１９の核酸配列と少なくとも８０％、少なくとも９０％、少なくとも９５％、少なくとも９６％、少なくとも９７％、少なくとも９８％、少なくとも９９％、又は１００％の配列同一性を示し、前記改変アルファウイルスゲノム又はレプリコンＲＮＡが、前記５’−非翻訳領域（５’−ＵＴＲ）の２位におけるＵ−＞Ｇ置換を含み、かつウイルス構造タンパク質をコードする配列の少なくとも一部を欠いている、核酸分子。
【請求項１１】
前記改変アルファウイルスゲノム又はレプリコンＲＮＡが、ウイルス構造タンパク質をコードする核酸配列の実質的な部分を欠いている、あるいは、前記改変アルファウイルスゲノム又はレプリコンＲＮＡが、ウイルス構造タンパク質をコードする核酸配列を含まない、請求項１０に記載の核酸分子。
【請求項１２】
請求項１〜１１のいずれか一項に記載の核酸分子を含む組み換え細胞であって、前記組み換え細胞が原核細胞又は真核細胞である、前記組み換え細胞。
【請求項１３】
目的のポリペプチドを産生するための方法であって、請求項１〜１１のいずれか一項に記載の核酸分子を含む宿主細胞を培養することを含む、前記方法。
【請求項１４】
請求項１３に記載の方法によって産生される組み換えポリペプチド。
【請求項１５】
（ｉ）請求項１４に記載の組み換えポリペプチド、
（ｉｉ）請求項１〜１１のいずれか一項に記載の核酸分子、又は
（ｉｉｉ）請求項１２に記載の組み換え細胞と、
薬学的に許容される担体とを含む、組成物。
【手続補正書】
【提出日】令和2年9月18日(2020.9.18)
【手続補正１】
【補正対象書類名】特許請求の範囲
【補正対象項目名】全文
【補正方法】変更
【補正の内容】
【特許請求の範囲】
【請求項１】
未変性コラーゲンを含むバイオインクであって、
前記バイオインクは、室温において、約１００〜約１５０，０００Ｐａの静剛性および０．００１ｓｅｃ−１よりも大きな剪断速度で約５０Ｐａ未満の剪断剛性を有する、
バイオインク。
【請求項２】
３ｍｇ／ｍｌよりも高い濃度の未変性コラーゲンを含むバイオインクであって、
ここでコラーゲンは、前記バイオインク内の唯一の細胞外マトリックスタンパク質である、
バイオインク。
【請求項３】
１ｍｇ／ｍｌよりも高い濃度の未変性中和化コラーゲンおよび架橋剤を含む、
バイオインク。
【請求項４】
１ｍｇ／ｍｌよりも高い濃度の未変性コラーゲンを含むバイオインクであって、
前記バイオインクは、中和した場合に、１０℃よりも高い温度でゲル化する、
バイオインク。
【請求項５】
１０ｍｇ／ｍｌよりも高い濃度の未変性酸性化コラーゲンを含む、
バイオインク。
【請求項６】
１ｍｇ／ｍｌよりも高い濃度の未変性沈殿コラーゲンを含む、
バイオインク。
【請求項７】
請求項１から６のいずれか一項のバイオインクであって、
前記コラーゲンは、Ｉ型コラーゲンである、
バイオインク。
【請求項８】
請求項１から７のいずれか一項のバイオインクであって、
前記コラーゲンは、テロコラーゲン、アテロコラーゲン、またはそれらの混合物である、
バイオインク。
【請求項９】
請求項１から８のいずれか一項のバイオインクであって、
１よりも多いタイプのコラーゲンを含む、
バイオインク。
【請求項１０】
請求項１および３から９のいずれか一項のバイオインクであって、
ここでコラーゲンは、前記バイオインク内の唯一の細胞外マトリックスタンパク質である、
バイオインク。
【請求項１１】
請求項１から１０のいずれか一項のバイオインクであって、
前記コラーゲンは、前記コラーゲンの架橋を可能にする化学基によって改変される、
バイオインク。
【請求項１２】
請求項１から１０のいずれか一項のバイオインクであって、
前記コラーゲンは、前記コラーゲンの化学的改変を伴わずに架橋され得、光開始剤および光曝露による架橋であってよい、
バイオインク。
【請求項１３】
請求項１から１２のいずれか一項のバイオインクであって、
添加剤をさらに含み、
架橋剤、硬化剤、合成材料、またはそれらの任意の組み合わせをさらに含んでよい、
バイオインク。
【請求項１４】
請求項１３のバイオインクであって、
前記添加剤は、タンパク質、グリコサミノグリカン、増殖因子、またはそれらの任意の組み合わせである、または、
前記添加剤は、細胞外マトリックス分子、脱細胞化組織、またはそれらの任意の組み合わせである、
バイオインク。
【請求項１５】
請求項１、３から９、および１１から１４のいずれか一項のバイオインクであって、
前記バイオインクは、異なる細胞外マトリックス分子をさらに含む、
バイオインク。
【請求項１６】
請求項１から１５のいずれか一項のバイオインクであって、
前記バイオインクは、細胞をさらに含む、
バイオインク。
【請求項１７】
請求項２から１６のいずれか一項のバイオインクであって、
前記バイオインクは、約１００〜約１５０，０００Ｐａの静剛性および０．００１ｓｅｃ−１よりも大きな剪断速度で約５０Ｐａ未満の剪断剛性を有する、
バイオインク。
【請求項１８】
請求項１から１７のいずれか一項のバイオインクであって、
前記バイオインクは、室温において３Ｄ構造をプリントするために用いられ得る、
バイオインク。
【請求項１９】
１００〜１５０，０００Ｐａの静剛性、および、０．００１ｓｅｃ−１よりも大きな剪断速度で約５０Ｐａ未満の剪断剛性を有し、プリントの１５分以内にその静剛性の少なくとも２０％を取り戻す、
揺変性バイオインク。
【請求項２０】
プリントの１分以内に１００Ｐａよりも大きな静剛性を達成する、
未変性コラーゲンに基づくバイオインク。
【請求項２１】
請求項１から２０のいずれか一項のバイオインクを含む、
キット。
【請求項２２】
バイオインクの調製のためのキットであって、
前記キットは、未変性コラーゲンを含む、
キット。
【請求項２３】
未変性コラーゲンを含む３Ｄ構造をプリントする方法であって、
前記方法は、３Ｄプリンターにおいて、請求項１から２２のいずれか一項のバイオインクを使用するステップを含む、
方法。
【請求項２４】
請求項２３の方法であって、
プリントされるときまたはプリントされた後に、前記３Ｄ構造を架橋するステップ、または、
プリントされるときまたはプリントされた後に、前記３Ｄ構造の温度を変更するステップ、または、
プリントされるときまたはプリントされた後に、前記３Ｄ構造を光に曝露するステップ、
をさらに含む、
方法。
【請求項２５】
請求項２３から２４のいずれか一項の方法であって、
前記バイオインクは、支持培地中にプリントされ、
前記支持培地は、前記３Ｄ構造に対して一時的な支持を提供してよく、
前記の一時的な支持は、ヒドロゲル粒子のスラリーによって提供されてよい、
方法。
【手続補正書】
【提出日】令和2年10月12日(2020.10.12)
【手続補正１】
【補正対象書類名】特許請求の範囲
【補正対象項目名】全文
【補正方法】変更
【補正の内容】
【特許請求の範囲】
【請求項１】
配列番号１６からなる認識配列と結合して切断する、遺伝子操作されたメガヌクレアーゼであって、
第１のサブユニット及び第２のサブユニットを含み、
前記第１のサブユニットが前記認識配列の第１の認識した半分の部位に結合し、
前記第２のサブユニットは、前記認識配列の第２の認識した半分の部位に結合し、
配列番号３３と少なくとも９６％の配列同一性を有するアミノ酸配列を含む、遺伝子操作されたメガヌクレアーゼ。
【請求項２】
前記第１のサブユニットが、配列番号３３の残基１９８〜３４４に対して少なくとも９６％の配列同一性を有するアミノ酸配列を含み、前記第２のサブユニットが、配列番号３３の残基７〜１５３に対して少なくとも９６％の配列同一性を有するアミノ酸配列を含む、請求項１に記載の遺伝子操作されたメガヌクレアーゼ。
【請求項３】
前記第１のサブユニットが、配列番号３３の残基１９８〜３４４を含む、請求項１又は２に記載の遺伝子操作されたメガヌクレアーゼ。
【請求項４】
前記第２のサブユニットが、配列番号３３の残基７〜１５３を含む、請求項１〜３のいずれか１項に記載の遺伝子操作されたメガヌクレアーゼ。
【請求項５】
配列番号３３のアミノ酸配列を含む、請求項１〜４のいずれか１項に記載の遺伝子操作されたメガヌクレアーゼ。
【請求項６】
請求項１〜５のいずれか１項に記載の遺伝子操作されたメガヌクレアーゼをコードする核酸配列を含む、ポリヌクレオチド。
【請求項７】
前記ポリヌクレオチドがｍＲＮＡである、請求項６に記載のポリヌクレオチド。
【請求項８】
請求項１〜５のいずれか１項に記載の遺伝子操作されたメガヌクレアーゼをコードする核酸配列を含む、組換えＤＮＡ構築物。
【請求項９】
請求項１〜５のいずれか１項に記載の遺伝子操作されたメガヌクレアーゼをコードする核酸配列を含む、ウイルスベクター。
【請求項１０】
前記ウイルスベクターが組換えアデノ関連ウイルス（ＡＡＶ）ベクターである、請求項９に記載のウイルスベクター。
【請求項１１】
Ｂ型肝炎ウイルス（ＨＢＶ）又はＨＢＶに起因する肝細胞がんを有する対象を治療するための医薬組成物であって、医薬的に許容される担体及び請求項１〜５のいずれか１項に記載の遺伝子操作されたメガヌクレアーゼをコードする核酸を含む、医薬組成物。
【請求項１２】
前記遺伝子操作されたメガヌクレアーゼをコードする前記核酸がｍＲＮＡである、請求項１１に記載の医薬組成物。
【請求項１３】
前記ｍＲＮＡは、脂質ナノ粒子内に封入されている、請求項１２に記載の医薬組成物。
【請求項１４】
前記遺伝子操作されたメガヌクレアーゼをコードする前記核酸を含むウイルスベクターを含む、請求項１１に記載の医薬組成物。
【請求項１５】
前記ウイルスベクターが組換えＡＡＶベクターである、請求項１４に記載の医薬組成物。
【手続補正書】
【提出日】令和2年9月25日(2020.9.25)
【手続補正１】
【補正対象書類名】特許請求の範囲
【補正対象項目名】全文
【補正方法】変更
【補正の内容】
【特許請求の範囲】
【請求項１】
磁気共鳴イメージングシステムとともに使用される無線周波数コイルをチューニングするよう構成されるチューニングシステムであって、
前記無線周波数コイルが共振する周波数に影響を及ぼすよう構成される少なくとも１つのチューニング要素を含むチューニング回路と、
当該チューニングシステムによって決定された前記磁気共鳴イメージングシステムのおおよそラーモア周波数で前記無線周波数コイルを共振させるように前記チューニング要素についての少なくとも１つの値をセットするよう構成されるコントローラと
を有するチューニングシステム。
【請求項２】
前記ラーモア周波数を示す情報は、前記磁気共鳴イメージングシステムの実際のラーモア周波数を推定することによって少なくとも部分的に当該チューニングシステムによって決定される、
請求項１に記載のチューニングシステム。
【請求項３】
前記実際のラーモア周波数を推定することは、前記無線周波数コイルを用いてサンプルから発せられた磁気共鳴信号を測定することを有する、
請求項２に記載のチューニングシステム。
【請求項４】
前記ラーモア周波数を示す情報は、少なくとも１つのセンサを用いて前記磁気共鳴イメージングシステムによって生成される現在のＢ０磁界強度を測定することによって少なくとも部分的に当該チューニングシステムによって決定される、
請求項１に記載のチューニングシステム。
【請求項５】
前記ラーモア周波数を示す情報は、前記磁気共鳴イメージングシステムのＢ０磁石によって生成される所望のＢ０磁界強度及び／又は所望のラーモア周波数を示す情報を受けることによって少なくとも部分的に当該チューニングシステムによって決定される、
請求項１に記載のチューニングシステム。
【請求項６】
前記Ｂ０磁石によって生成される前記所望のＢ０磁界強度及び／又は前記所望のラーモア周波数を示す情報は、前記無線周波数コイルのコイルコネクタから受け取られる、
請求項５に記載のチューニングシステム。
【請求項７】
前記Ｂ０磁石によって生成される前記所望のＢ０磁界強度及び／又は前記所望のラーモア周波数を示す情報は、前記磁気共鳴イメージングシステムのコンソールから受け取られる、
請求項５に記載のチューニングシステム。
【請求項８】
前記コントローラは、前記磁気共鳴イメージングシステムの環境内で電磁ノイズを検出するように前記無線周波数コイルを制御するよう、且つ、前記検出された電磁ノイズに基づき前記無線周波数コイルの現在の共振周波数を決定するよう構成され、
前記決定された現在の共振周波数は、前記チューニング要素の前記少なくとも１つの値をセットするために前記コントローラによって使用される、
請求項１に記載のチューニングシステム。
【請求項９】
前記コントローラは、前記無線周波数コイルが最大応答を示した前記検出された電磁ノイズのスペクトル内の周波数を特定するよう構成される、
請求項８に記載のチューニングシステム。
【請求項１０】
前記チューニング回路は、平衡チューニングネットワークを有する、
請求項１に記載のチューニングシステム。
【請求項１１】
前記チューニング回路は、前記磁気共鳴イメージングシステムとともに使用される送信／受信無線周波数コイルをチューニングするよう構成される、
請求項１に記載のチューニングシステム。
【請求項１２】
前記コントローラは更に、複数の差動測定に少なくとも部分的に基づき、前記チューニング回路に取り付けられた前記無線周波数コイルを自動的にチューニングするよう構成される、
請求項１に記載のチューニングシステム。
【請求項１３】
前記コントローラは、
前記少なくとも１つのチューニング要素の前記少なくとも１つの値を初期値にセットすることと、
前記少なくとも１つのチューニング要素が前記初期値にセットされる場合に第１ノイズ測定を収集することと、
前記少なくとも１つのチューニング要素の前記少なくとも１つの値を新しい値にセットすることと、
前記少なくとも１つのチューニング要素が前記新しい値にセットされる場合に第２ノイズ測定を収集することと、
前記第１ノイズ測定と前記第２ノイズ測定との比較に少なくとも部分的に基づき前記無線周波数コイルを自動チューニングすることと
によって少なくとも部分的に前記無線周波数コイルを自動チューニングするよう構成される、
請求項１２に記載のチューニングシステム。
【請求項１４】
前記磁気共鳴イメージングシステムは、低磁場磁気共鳴イメージングシステムである、
請求項１に記載のチューニングシステム。
【請求項１５】
所望の磁界強度は、おおよそ０．１Ｔ以下且つおおよそ５０ｍＴ以上である、
請求項１４に記載のチューニングシステム。
【手続補正書】
【提出日】令和2年8月7日(2020.8.7)
【手続補正１】
【補正対象書類名】特許請求の範囲
【補正対象項目名】全文
【補正方法】変更
【補正の内容】
【特許請求の範囲】
【請求項１】
医療装置用の回転駆動装置において、
ロータを含む回転モータと、
前記ロータに接続され、前記ロータの回転距離を測定する複数のエンコーダ段を生成する回転運動エンコーダと、
エンコーダ段の実際のカウント及びエンコーダ段の予測カウントの比較に基づいて、モータ動作中に測定された前記回転モータの滑り値及びモータ動作を停止した後に測定された前記回転モータの惰行値の少なくとも１つを決定し、前記決定された滑り値及び前記決定された惰行値の少なくとも１つに基づき、前記回転モータの摩耗状態を決定するようにプログラムされた少なくとも１つの電子プロセッサと、
を有する回転駆動装置。
【請求項２】
前記少なくとも１つの電子プロセッサが、エンコーダ段の実際のカウント及びエンコーダ段の予測カウントの比較に基づいて、モータ動作中に測定された前記回転モータの滑り値及びモータ動作を停止した後に測定された前記回転モータの惰行値の各々を決定するようにプログラムされる、請求項１に記載の回転駆動装置。
【請求項３】
前記少なくとも１つの電子プロセッサが、エンコーダ段の実際のカウント及びエンコーダ段の予測カウントの計算された差分に基づいて、モータ動作中に測定された前記回転モータの滑り値及びモータ動作を停止した後に測定された前記回転モータの惰行値の各々を決定するようにプログラムされる、請求項１及び２のいずれか一項に記載の回転駆動装置。
【請求項４】
前記少なくとも１つの電子プロセッサが、決定された滑り値に基づいて、前記回転モータの摩耗状態を決定するようにプログラムされ、前記予測カウントと比較してより低い実際のカウントが、より大きな摩耗状態を示す、請求項１乃至３のいずれか一項に記載の回転駆動装置。
【請求項５】
前記少なくとも１つの電子プロセッサが、決定された惰行値に基づいて、前記回転モータの摩耗状態を決定するようにプログラムされ、前記予測カウントと比較してより高い実際のカウントが、より大きな摩耗状態を示す、請求項１乃至３のいずれか一項に記載の回転駆動装置。
【請求項６】
前記少なくとも１つの電子プロセッサが、
前記測定された滑り値及び前記測定された惰行値の少なくとも１つが第１の閾値を超過する場合に前記モータを交換するように警告を生成し、
前記測定された滑り値及び前記測定された惰行値の少なくとも１つが第２の閾値を超過する場合に前記回転モータがオンになることを防ぐ、
ようにプログラムされる、請求項５に記載の回転駆動装置。
【請求項７】
前記回転モータが、非磁性であり、前記ロータが、摩擦材料で固定子に結合され、前記非磁性回転モータが、
前記ロータを駆動するように前記固定子に電気正弦波を入力する電流源、
を含む、請求項１乃至６のいずれか一項に記載の回転駆動装置。
【請求項８】
請求項１に記載の回転駆動装置を有する医療用ポンプにおいて、前記回転モータが、非磁性である、医療用ポンプ。
【請求項９】
磁気共鳴環境において医療装置を使用する方法において、
回転運動エンコーダで、回転モータのロータの回転距離を測定する複数のエンコーダ段を生成するステップと、
少なくとも１つの電子プロセッサで、エンコーダ段の実際のカウント及びエンコーダ段の予測カウントの比較に基づいて、モータ動作中に測定された前記回転モータの滑り値及びモータ動作を停止した後に測定された前記回転モータの惰行値の少なくとも１つを決定するステップと、
前記少なくとも１つの電子プロセッサで、前記決定された滑り値及び前記決定された惰行値の少なくとも１つに基づき、前記回転モータの摩耗状態を決定するステップと、
を有する方法。
【請求項１０】
前記少なくとも１つの電子プロセッサで、エンコーダ段の実際のカウント及びエンコーダ段の予測カウントの比較に基づいて、モータ動作中に測定された前記回転モータの滑り値及びモータ動作を停止した後に測定された前記回転モータの惰行値の各々を決定するステップ、
を含む、請求項９に記載の方法。
【請求項１１】
前記少なくとも１つの電子プロセッサで、エンコーダ段の実際のカウント及びエンコーダ段の予測カウントの計算された差分に基づいて、モータ動作中に測定された前記回転モータの滑り値及びモータ動作を停止した後に測定された前記回転モータの惰行値の各々を決定するステップ、
を含む、請求項９及び１０のいずれか一項に記載の方法。
【請求項１２】
前記少なくとも１つの電子プロセッサで、決定された滑り値に基づいて、前記回転モータの摩耗状態を決定するステップであって、前記予測カウントと比較してより低い実際のカウントがより大きな摩耗状態を示す、ステップ、
を含む、請求項９乃至１１のいずれか一項に記載の方法。
【請求項１３】
前記少なくとも１つの電子プロセッサで、決定された惰行値に基づいて、前記回転モータの摩耗状態を決定するステップであって、前記予測カウントと比較してより高い実際のカウントがより大きな摩耗状態を示す、ステップ、
を含む、請求項９乃至１１のいずれか一項に記載の方法。
【請求項１４】
前記少なくとも１つの電子プロセッサで、
前記測定された滑り値及び前記測定された惰行値の少なくとも１つが第１の閾値を超過する場合に前記モータを交換するように警告を生成するステップと、
前記測定された滑り値及び前記測定された惰行値の少なくとも１つが第２の閾値を超過する場合に前記回転モータがオンになることを防ぐステップと、
を含む、請求項１２に記載の方法。
【請求項１５】
前記回転モータが、非磁性であり、前記ロータが、摩擦材料で固定子に結合され、前記方法が、
前記非磁性回転モータの電流源で、前記ロータを駆動するように前記固定子に電気正弦波を入力するステップ、
を含む、請求項９乃至１４のいずれか一項に記載の方法。
【手続補正書】
【提出日】令和2年9月11日(2020.9.11)
【手続補正１】
【補正対象書類名】特許請求の範囲
【補正対象項目名】全文
【補正方法】変更
【補正の内容】
【特許請求の範囲】
【請求項１】
弁座であって、第１主面と、第２主面と、前記弁座の前記第１主面と前記第２主面との間に配置されたオリフィスと、前記弁座の第１端部と第２端部との間に延びる弁座軸線と、を含み、前記オリフィスは、前記弁座の前記第１主面によって画定される平面内に実質的に円形の形状を含み、前記弁座は、前記弁座の前記第１主面上にそれぞれ配置されたシール面及びフラップ保持面を更に含み、前記シール面は、前記オリフィスを囲み、かつ前記弁座の前記第１主面によって画定される前記平面内に実質的に非円形の形状を含む、弁座と、
前記シール面と前記オリフィスを覆って配置され、かつ、前記フラップ保持面に接続された第１端部を備える、弁フラップであって、流体が前記弁座を通って流れることを防止するように前記呼気弁が閉構成に配置されているときに、前記弁フラップは前記弁座の前記シール面に対してシールされるようになっており、流体が前記弁座を通って流れることができるように前記呼気弁が開構成に配置されているときに、前記弁フラップの第２端部は前記シール面から離れるようになっており、更に、前記呼気弁が前記閉構成に配置されているときに、前記弁フラップは、前記弁座の前記第１主面に直交する平面内に湾曲形状を含む、弁フラップとを備える呼気弁。
【請求項２】
前記オリフィスは前記弁座の前記第１主面によって画定される前記平面内に第１領域を含み、前記シール面は前記第１主面によって画定される前記平面内に第２領域を含み、前記第１領域は前記第２領域より小さい、請求項１に記載の呼気弁。
【請求項３】
着用時に内部気体空間を形成するように着用者の少なくとも鼻及び口を覆ってフィットするようになっているマスク本体と、
請求項１〜２のいずれか一項に記載の呼気弁であって、前記内部気体空間と流体連通する、呼気弁とを備える濾過フェイスマスク。
【手続補正書】
【提出日】令和2年8月7日(2020.8.7)
【手続補正１】
【補正対象書類名】特許請求の範囲
【補正対象項目名】全文
【補正方法】変更
【補正の内容】
【特許請求の範囲】
【請求項１】
Ｎ末端からＣ末端にかけて、
（ｉ）ヒトリンパ球機能関連抗原１のαＬサブユニットのＩドメインと、
（ｉｉ）膜貫通ドメインと、
（ｉｉｉ）少なくとも１つの共刺激ドメインと、
（ｉｖ）活性化ドメインと、を含む、キメラ抗原受容体（ＣＡＲ）。
【請求項２】
前記Ｉドメインが野生型Ｉドメインまたは１〜３個のアミノ酸変異を有するその変異体である、請求項１に記載のＣＡＲ。
【請求項３】
前記Ｉドメインが、約１ｍＭ〜約１ｎＭの親和性でＩＣＡＭ−１を結合させる、請求項１に記載のＣＡＲ。
【請求項４】
前記野生型Ｉドメインが、配列番号１の１３０〜３１０アミノ酸の配列を含む、請求項２に記載のＣＡＲ。
【請求項５】
前記変異体が、野生型Ｉドメインのアミノ酸残基２６５、２８８、２８９、２９２、２９５、もしくは３０９に１つ以上の変異を有するか、またはそれと少なくとも９５％の同一性を有する配列であって、前記アミノ酸残基の番号付けは、配列番号１のアミノ酸残基に対応する、請求項４に記載のＣＡＲ。
【請求項６】
前記変異体が、Ｉ２８８Ｎ、Ｉ３０９Ｔ、Ｌ２９５Ａ、Ｆ２９２Ａ、Ｆ２９２Ｓ、Ｌ２８９Ｇ、Ｆ２９２Ｇ、およびＦ２６５Ｓのうちの１つ以上の変異を有する、請求項５に記載のＣＡＲ。
【請求項７】
前記変異体が、Ｆ２６５Ｓ／Ｆ２９２Ｇ、またはＦ２６５Ｓ／Ｆ２９２Ｇ／Ｇ３１１Ｃの変異を有する、請求項５に記載のＣＡＲ。
【請求項８】
前記共刺激ドメインが、ＣＤ２８、４−１ＢＢ、ＩＣＯＳ−１、ＣＤ２７、ＯＸ−４０、ＧＩＴＲ、およびＤＡＰ１０からなる群より選択される、請求項１に記載のＣＡＲ。
【請求項９】
前記活性化ドメインがＣＤ３ゼータである、請求項１に記載のＣＡＲ。
【請求項１０】
請求項１に記載のＣＡＲをコードする単離された核酸配列。
【請求項１１】
請求項１に記載のＣＡＲを発現するように改変されたＴ細胞またはナチュラルキラー細胞。
【請求項１２】
請求項１１に記載のＣＡＲ−Ｔ細胞を含む、癌を治療するための養子細胞療法のための医薬組成物であって、
癌に罹患している対象に投与され、
前記対象の前記癌細胞はＩＣＡＭ−１を過剰発現し、前記ＣＡＲ−Ｔ細胞は、前記癌細胞を死滅させるために、前記癌細胞へ結合する、医薬組成物。
【請求項１３】
前記癌が甲状腺癌、胃癌、膵癌、または乳癌である、請求項１２に記載の医薬組成物。
【手続補正書】
【提出日】令和2年8月12日(2020.8.12)
【手続補正１】
【補正対象書類名】特許請求の範囲
【補正対象項目名】全文
【補正方法】変更
【補正の内容】
【特許請求の範囲】
【請求項１】
ユーザ機器(UE)によるワイヤレス通信の方法であって、
ローカル動作通知を基地局に送信するステップであって、前記ローカル動作通知が前記UEにとってローカルであるローカル動作を示し、別のネットワークエンティティとの通信を伴わない、ステップと、
前記基地局から、前記ローカル動作に利用可能な1つまたは複数のリソースを示すリソースインジケータを受信するステップと、
前記1つまたは複数のリソースを使用して前記ローカル動作を実行するステップとを備える、方法。
【請求項２】
前記1つまたは複数のリソースが複数の送信リソースを含み、あらかじめ定められたパターンに基づく基準信号の送信のために、前記複数の送信リソースのうちの1つまたは複数が各々使用され、前記ローカル動作を実行する前記ステップが、
前記1つまたは複数のリソースを使用して前記基準信号を送信するステップと、
前記送信された基準信号に基づいて1つまたは複数のパラメータを決定するステップと、
前記決定された1つまたは複数のパラメータに基づいて前記ローカル動作を実行するステップとを備える、請求項1に記載の方法。
【請求項３】
前記ローカル動作が前記UEの自己較正であり、前記1つまたは複数のパラメータを決定する前記ステップが、
前記送信された基準信号から前記1つまたは複数のパラメータを測定するステップを備え、
前記ローカル動作が、前記1つまたは複数のパラメータに基づいて、かつ1つまたは複数の標準パラメータに基づいて実行される、請求項2に記載の方法。
【請求項４】
前記1つまたは複数のパラメータが振幅または位相のうちの少なくとも1つを含む、請求項3に記載の方法。
【請求項５】
前記ローカル動作が送信遮蔽検出であり、前記1つまたは複数のパラメータを決定する前記ステップが、
前記送信された基準信号の反射された信号を受信するステップと、
前記基準信号の前記送信の時間および前記反射された信号の前記受信の時間に基づいて、前記反射された信号の信号強度および前記基準信号のラウンドトリップタイムを決定するステップとを備え、
前記1つまたは複数のパラメータが、前記反射された信号の前記信号強度および前記基準信号の前記ラウンドトリップタイムを含み、
前記ローカル動作が、前記反射された信号の前記信号強度および前記基準信号の前記ラウンドトリップタイムに基づいて実行される、請求項2に記載の方法。
【請求項６】
前記ローカル動作を実行する前記ステップが、
前記反射された信号の前記信号強度および前記基準信号の前記ラウンドトリップタイムに基づいて、送信経路が物体によって遮られているかどうかを決定するステップと、
前記送信経路が遮られている場合、前記反射された信号の前記信号強度および前記基準信号の前記ラウンドトリップタイムに基づいて、前記送信経路を遮る前記物体のタイプを決定するステップとを備える、請求項5に記載の方法。
【請求項７】
前記送信経路を遮っている前記物体の前記タイプが人体組織のタイプである場合、前記送信経路を介して信号を送信するのを控えるステップと、
前記送信経路が遮られていない場合、または前記送信経路を遮っている前記物体の前記タイプが前記人体組織のタイプではない場合、信号送信のために前記送信経路を利用するステップとをさらに備える、請求項6に記載の方法。
【請求項８】
前記物体によって遮られていない第2の送信経路を選択するステップと、
信号送信のために前記第2の送信経路を利用するステップとをさらに備える、請求項7に記載の方法。
【請求項９】
前記送信経路を遮っている前記物体の前記タイプが前記人体組織のタイプである場合、前記送信経路における遮蔽を示す遮蔽通知を前記基地局に送信するステップをさらに備える、請求項7に記載の方法。
【請求項１０】
前記あらかじめ定められたパターンが前記基地局から受信される、請求項2に記載の方法。
【請求項１１】
前記1つまたは複数のリソースが複数の送信リソースを含み、
前記複数の送信リソースが、前記ローカル動作を実行するための1つまたは複数のビームパターンを形成するために使用される、請求項1に記載の方法。
【請求項１２】
あらかじめ定められた量の送信リソースを要求するためのリソース要求を送信するステップをさらに備え、
前記リソースインジケータが前記リソース要求に基づく、請求項1に記載の方法。
【請求項１３】
前記あらかじめ定められた量の送信リソースが前記ローカル動作に十分ではない場合、前記あらかじめ定められた量の送信リソースに加えて、追加の送信リソースを要求する追加のリソース要求を送信するステップをさらに備える、請求項12に記載の方法。
【請求項１４】
請求項1から13のいずれか一項に記載の方法のすべてのステップを実行するように構成された手段を備える、装置。
【請求項１５】
請求項1から13のいずれか一項に記載の方法のすべてのステップを実施するようにコンピュータ実行可能なプログラム命令を備える、コンピュータプログラム。
【手続補正書】
【提出日】令和2年8月28日(2020.8.28)
【手続補正１】
【補正対象書類名】特許請求の範囲
【補正対象項目名】全文
【補正方法】変更
【補正の内容】
【特許請求の範囲】
【請求項１】
利用可能な記憶スペースの関数として連続番組のスケジュールされる記憶スペースを修正する方法であって、前記方法は、
スケジュールデータ構造の中に前記連続番組のエピソードを記憶するための命令を記憶することと、
ユーザに対応するユーザプロファイルの中に前記ユーザによる前記連続番組の複数の記憶されたエピソードの視聴進捗を記憶することと、
連続番組視聴関数を用いて利用可能な記憶スペースの量を処理することによって、閾値視聴進捗を計算することと、
前記連続番組の複数の記憶されたエピソードのうちの各記憶されたエピソードの持続時間を合計することによって、前記連続番組の記憶されたエピソードの集計された持続時間を計算することと、
前記連続番組の複数の記憶されたエピソードのうちの各記憶されたエピソードの前記ユーザの現在の再生進捗を合計することによって、集合的視聴進捗を計算することと、
前記集合的視聴進捗を記憶されたエピソードの前記集計された持続時間で除算することによって、集計された視聴進捗を計算することと、
前記集計された視聴進捗が前記閾値視聴進捗を超えないことを決定することに応答して、前記連続番組のエピソードを記憶するための前記命令を修正することと
を含む、方法。
【請求項２】
前記ユーザプロファイルの中に前記ユーザによる前記複数のエピソードの前記視聴進捗を記憶することは、
前記ユーザが前記複数のエピソードのうちの第１のエピソードを選択したことを決定することと、
前記第１のエピソードに対して、前記ユーザの現在の再生位置を監視することと、
前記ユーザプロファイルの視聴進捗データ構造内のエントリとして、前記第１のエピソードに対する前記ユーザの前記現在の再生位置を記憶することと
を含む、請求項１に記載の方法。
【請求項３】
前記ユーザプロファイルの前記視聴進捗データ構造内の前記エントリとして、前記第１のエピソードに対する前記ユーザの前記現在の再生位置を記憶することは、
前記第１のエピソードの持続時間と前記ユーザの前記現在の再生位置とに基づいて、前記ユーザによって視聴された前記第１のエピソードの割合を計算することと、
メモリの中に記憶された閾値割合視聴進捗を読み出すことと、
前記ユーザによって視聴された前記第１のエピソードの割合を前記閾値割合視聴進捗と比較することと、
前記ユーザによって視聴された前記第１のエピソードの割合が前記割合視聴進捗を満たすことを決定することに応答して、前記第１のエピソードが前記ユーザによって完全に視聴されたという指示を前記エントリとともに記憶することと
を含む、請求項２に記載の方法。
【請求項４】
前記連続番組視聴関数を用いて前記利用可能な記憶スペースの量を処理することによって、前記閾値視聴進捗を計算することは、
前記利用可能な記憶スペースの量の第１の値を読み出すことと、
プログラムスクリプトを実行することであって、前記第１の値は、前記利用可能な記憶スペースの量のための値を閾値視聴進捗にマッピングする数学関数に入力される、ことと、
前記プログラムスクリプトの出力として、前記閾値視聴進捗を受信することと
を含む、請求項１に記載の方法。
【請求項５】
前記連続番組のエピソードを記憶するための前記命令を修正することは、
前記スケジュールデータ構造にアクセスすることと、
前記連続番組のエピソードを記憶するための前記命令を削除することと
を含む、請求項１に記載の方法。
【請求項６】
前記ユーザプロファイルの視聴進捗データ構造から、前記複数の記憶されたエピソードのうちの各記憶されたエピソードに対する前記現在の再生進捗を読み出すことと、
各記憶されたエピソードの前記読み出された現在の再生進捗に基づいて、前記複数の記憶されたエピソードをランク付けすることと、
前記ランク付けすることに基づいて、第１の記憶されたエピソードを削除することと
をさらに含む、請求項５に記載の方法。
【請求項７】
前記第１の記憶されたエピソードを削除することに基づいて、前記記憶デバイス上に残っている利用可能な記憶スペースの新しい量を計算することと、
前記連続番組視聴関数を用いて前記利用可能な記憶スペースの新しい量を処理することによって、第２の閾値視聴進捗を計算することと、
前記集計された視聴進捗が前記第２の閾値視聴進捗を超えるかどうかを決定することと、
前記集計された視聴進捗が前記第２の閾値視聴進捗を超えないことを決定することに応答して、前記ランク付けすることに基づいて、第２の記憶されたエピソードを削除することと
をさらに含む、請求項６に記載の方法。
【請求項８】
前記連続番組のエピソードを記憶するための前記命令を修正することは、
前記スケジュールデータ構造にアクセスすることと、
前記連続番組の複数のエピソードの一部を記憶する追加の命令を記憶することと
を含む、請求項１に記載の方法。
【請求項９】
利用可能な記憶スペースの関数として連続番組のスケジュールされる記憶スペースを修正するためのシステムであって、前記システムは、請求項１〜８のいずれかに記載の方法を実行するように構成された制御回路を備える、システム。
【請求項１０】
利用可能な記憶スペースの関数として連続番組のスケジュールされる記憶スペースを修正するためのエンコードされた非一過性のコンピュータ読み取り可能な命令を有する非一過性のコンピュータ読み取り可能な媒体であって、前記非一過性のコンピュータ読み取り可能な命令は、制御回路によって実行されると、前記制御回路に請求項１〜８のいずれかに記載の方法を実施させる、非一過性のコンピュータ読み取り可能な媒体。
【手続補正書】
【提出日】令和2年6月8日(2020.6.8)
【手続補正１】
【補正対象書類名】特許請求の範囲
【補正対象項目名】全文
【補正方法】変更
【補正の内容】
【特許請求の範囲】
【請求項１】
電子装置であって、
上部部分及び基部を含み、前記上部部分及び前記基部が接合位置と分離位置との間で移動可能である外部全体と、
前記上部部分に結合され、前記上部部分及び前記基部が前記接合位置にあるときに前記外部全体の内側に収容される電子部品とを備え、前記電子部品は電気コネクタを含み、前記電気コネクタが外部電源及び／又はデータコネクタに接続されたときに、前記電気コネクタは、電力及び／又はデータを前記電子部品に供給するように及び／又は前記電子部品からデータ信号を出力するように構成され、
前記基部は、前記上部部分に結合された前記電子部品の基面における前記電気コネクタの位置及び大きさに対応する開口部を含み、前記上部部分及び前記基部が前記接合位置にあるときに、前記上部部分に結合された前記電子部品の前記基面は、前記開口部から露出されて、前記電気コネクタが、前記電子装置に設けられた前記外部電源及び／又はデータコネクタと電気的に結合することを可能にする、電子装置。
【請求項２】
前記上部部分と前記電子部品とは結合された上部部分を形成することにより、適合性のある異なる複数の基部と前記基部の交換を可能にし、前記適合性のある異なる複数の基部の各々は、前記電子部品の前記基面における前記電気コネクタの前記位置及び大きさに対応する第２の開口部を含む、請求項１に記載の電子装置。
【請求項３】
前記上部部分と前記基部とは、前記上部部分及び前記基部の一方又は両方の人間の手動操作により、確実に接合および分離されるように構成される、請求項２に記載の電子装置。
【請求項４】
前記結合された上部部分は、第１の取り付け構造を有する第１の内面と、前記第１の内面を越えて前記第１の取り付け構造と反対方向に延在する第１の外面とを含み、前記第１の内面は前記電子部品の外周面を規定し、
前記基部は第２の取り付け構造と円形開口部とを有する第２の内面を含み、
前記第１及び第２の内面は、前記基部の前記円形開口部を通る前記第１の内面の移動により、前記結合された上部部分及び前記基部を前記分離位置から前記接合位置に移動することを可能にする適合性のある形状を有し、それにより、前記結合された上部部分及び前記基部が前記接合位置にあるとき、前記第１及び第２の内面は、前記第１及び第２の取り付け構造間の相互作用を可能にする入れ子構造を形成し、かつ前記結合された上部部分は前記基部に接する、請求項２に記載の電子装置。
【請求項５】
前記第１及び第２の取り付け構造は、前記上部部分および前記基部が前記接合位置にあるときに磁気引力を通じて係合する、請求項４に記載の電子装置。
【請求項６】
前記電気コネクタは、高速ネットワーク動作を可能にするために、前記電子部品への有線のネットワーク接続を提供するように構成されている、請求項１〜５のいずれか一項に記載の電子装置。
【請求項７】
前記電気コネクタは、前記電子部品によって実行される１つ以上のソフトウェアアプリケーションによって提供されるデジタル信号を出力するように構成され、前記デジタル信号は、可聴命令、制御データ、及び位置情報を含む、ビデオ情報、音声信号、ユーザインタラクション情報のうちの１つ以上を伝達する、請求項１〜６のいずれか一項に記載の電子装置。
【請求項８】
前記外部電源及び／又はデータコネクタがゲーミングシステムに設けられる場合、前記電子部品は、前記電子部品の機能を介してユーザによって伝達されるユーザゲーミング入力を、前記電気コネクタを介して出力するように構成される、請求項１〜７のいずれか一項に記載の電子装置。
【請求項９】
前記外部電源及び／又はデータコネクタがオーディオシステムに設けられる場合、前記電子部品は、前記電子部品の機能を介して伝達される音声情報を、前記電気コネクタを介して出力するように構成される、請求項１〜７のいずれか一項に記載の電子装置。
【請求項１０】
前記外部電源及び／又はデータコネクタがデジタルメディアプレーヤシステムに設けられる場合、前記電子部品は、前記電子部品の機能を介して伝達されるデジタルメディア情報を、前記電気コネクタを介して出力するように構成される、請求項１〜７のいずれか一項に記載の電子装置。
【請求項１１】
前記外部電源及び／又はデータコネクタが携帯電子システムに設けられる場合、前記電子部品は、前記電子部品の機能によって伝達される前記携帯電子システムの移動を制御するための制御情報を出力するように構成され、前記機能はユーザコマンド及び前記電子部品によって実行されるアプリケーションの出力のうちの１つ以上を反映する、請求項１〜７のいずれか一項に記載の電子装置。
【請求項１２】
前記電気コネクタは、前記電子部品の前記基面と実質的に同一平面であるパターン内に構成された複数の第１の電気接点を含み、前記複数の第１の電気接点が実質的に平坦でありかつ前記基面が実質的に平坦であることによって、前記電子装置は、実質的に平坦な外部電源及び／又はデータコネクタの対応する第２の電気接点に接続できる、請求項１〜１１のいずれか一項に記載の電子装置。
【請求項１３】
前記複数の第１の電気接点は、線状配置の４つの接点を備える、請求項１２に記載の電子装置。
【請求項１４】
前記基部は円形であり、前記基部の前記開口部は前記基部と環を形成する、請求項１〜１３のいずれか一項に記載の電子装置。
【請求項１５】
前記基部は音響透過性の壁を含み、前記電子部品はスピーカを含み、前記上部部分と前記基部とが前記接合位置にあるとき、前記スピーカは、前記基部の中に隠され、前記基部の前記音響透過性の壁に向けて音響を投射するように構成される、請求項１〜１４のいずれか１項に記載の電子装置。
【手続補正書】
【提出日】令和2年8月28日(2020.8.28)
【手続補正１】
【補正対象書類名】特許請求の範囲
【補正対象項目名】全文
【補正方法】変更
【補正の内容】
【特許請求の範囲】
【請求項１】
異なるバイアス電流にわたって変化する入力インピーダンスを有して、カスコード構成で実装された低雑音増幅器（ＬＮＡ）である、信号の増幅器であって、
前記増幅器は、
カスコード段と、
前記カスコード段に結合された利得段と
を含み、
前記利得段は、それぞれがアクティブになることができる複数のスイッチング可能増幅ブランチを含み、
前記アクティブな増幅ブランチの一つ以上が、複数の利得設定それぞれにおける目標調整を前記入力インピーダンスに与え、
前記目標調整は、近似的に一定のインピーダンスを入力ノードに与えるべく選択される増幅器。
【請求項２】
前記複数のスイッチング可能増幅ブランチはそれぞれが、スイッチングトランジスタ及びＲＦ段トランジスタを含む請求項１の増幅器。
【請求項３】
第１利得モードにおいて前記ＲＦ段トランジスタの第１複数がアクティブになり、
前記第１利得モードよりも低い第２利得モードにおいて前記ＲＦ段トランジスタの第２複数がアクティブになり、
前記第２利得モードにおけるアクティブなＲＦ段トランジスタの数が前記第１利得モードよりも少ない請求項２の増幅器。
【請求項４】
前記カスコード構成は、前記利得段の第１トランジスタが最低利得設定で動作可能となるように、かつ、前記利得段の第２トランジスタが、増加した利得設定のそれぞれに対して動作可能となるように構成される請求項１の増幅器。
【請求項５】
前記利得段のトランジスタのソースに結合されたインダクタをさらに含む請求項１の増幅器。
【請求項６】
前記利得段は、電気的に並列の構成の複数のトランジスタを含み、
各トランジスタは、関連トランジスタを選択的にアクティブにするスイッチング可能増幅ブランチに関連付けられる請求項１の増幅器。
【請求項７】
前記複数のトランジスタのそれぞれのドレインに結合されたスイッチをさらに含む請求項６の増幅器。
【請求項８】
無線周波数（ＲＦ）回路を有する半導体ダイであって、
基板と、
前記基板に実装されたＲＦ増幅器と
を含み、
前記ＲＦ増幅器は、カスコード構成で実装された低雑音増幅器（ＬＮＡ）であり、
前記ＲＦ増幅器は、カスコード段と、前記カスコード段に結合された利得段とを含み、
前記利得段は、それぞれがアクティブになることができる複数のスイッチング可能増幅ブランチを含み、
前記アクティブな増幅ブランチの一つ以上が、複数の利得設定のそれぞれにおける目標調整を入力インピーダンスに与え、
前記目標調整は、近似的に一定のインピーダンスを入力ノードに与えるべく選択される半導体ダイ。
【請求項９】
前記カスコード構成は、第１トランジスタが最低利得設定で動作可能となるように、かつ、第２トランジスタが、増加した利得設定のそれぞれに対して動作可能となるように構成される請求項８の半導体ダイ。
【請求項１０】
前記利得段は、電気的に並列の構成の複数のトランジスタを含み、
各トランジスタは、関連トランジスタを選択的にアクティブにするスイッチング可能増幅ブランチに関連付けられる請求項８の半導体ダイ。
【請求項１１】
無線デバイスであって、
無線周波数（ＲＦ）信号を少なくとも受信するべく構成されたアンテナと、
前記アンテナと通信するＲＦ増幅器と、
送受信器と
を含み、
前記ＲＦ増幅器は、カスコード構成で実装された低雑音増幅器（ＬＮＡ）であり、
前記ＲＦ増幅器は、カスコード段と、前記カスコード段に結合された利得段とを含み、
前記利得段は、それぞれがアクティブになることができる複数のスイッチング可能増幅ブランチを含み、
前記アクティブな増幅ブランチの一つ以上が、複数の利得設定のそれぞれにおける目標調整を入力インピーダンスに与え、
前記目標調整は、近似的に一定のインピーダンスを入力ノードに与えるべく選択され、
前記送受信器は、前記ＲＦ増幅器からの増幅されたＲＦ信号を処理するように構成される無線デバイス。
【請求項１２】
前記無線デバイスは、受信動作において異なる利得を含むように構成された携帯電話機である請求項１１の無線デバイス。
【請求項１３】
前記複数のスイッチング可能増幅ブランチはそれぞれが、スイッチングトランジスタ及びＲＦ段トランジスタを含む請求項１１の無線デバイス。
【請求項１４】
第１利得モードにおいて前記ＲＦ段トランジスタの第１複数がアクティブになり、
前記第１利得モードよりも低い第２利得モードにおいて前記ＲＦ段トランジスタの第２複数がアクティブになり、
前記第２利得モードにおけるアクティブなＲＦ段トランジスタの数が前記第１利得モードよりも少ない請求項１３の無線デバイス。
【請求項１５】
前記利得段に結合されたスケーリング可能インピーダンスブロックをさらに含む請求項１の増幅器。
【請求項１６】
前記スケーリング可能インピーダンスブロックは、
複数の誘導素子と、
前記複数の誘導素子の一つ以上のインダクタンスを前記増幅器に選択的に加えるべく基準電位ノードに選択的に結合される複数のスイッチと
を含む請求項１５の増幅器。
【請求項１７】
前記複数のスイッチング可能増幅ブランチはそれぞれが、スイッチングトランジスタ及びＲＦ段トランジスタを含む請求項８の半導体ダイ。
【請求項１８】
前記利得段に結合されたスケーリング可能インピーダンスブロックをさらに含む請求項８の半導体ダイ。
【請求項１９】
前記スケーリング可能インピーダンスブロックは、
複数の誘導素子と、
前記複数の誘導素子の一つ以上のインダクタンスを前記ＲＦ増幅器に選択的に加えるべく基準電位ノードに選択的に結合される複数のスイッチと
を含む請求項１８の半導体ダイ。
【請求項２０】
前記利得段に結合されたスケーリング可能インピーダンスブロックをさらに含む請求項１１の無線デバイス。